(57)【要約】【課題】コンデンサ素子の局所的な温度上昇を防止でき、ひいてはコンデンサ素子全体に流れる電流の許容量を増やすことができるコンデンサを提供する。【解決手段】収納ケース２に複数個のコンデンサ素子３が収納されている。このコンデンサ素子３は、収納ケース２の開口部２０側と底面２１側の端部に一対の電極面３０を有している。コンデンサ素子３の、開口部２０側の電極面３０に開口側バスバー４ａが配置され、底面２１側の電極面３０に底面側バスバー４ｂが配置されている。これら開口側バスバー４ａと底面側バスバー４ｂとにより、複数個のコンデンサ素子３が並列接続されている。開口側バスバー４ａ及び底面側バスバー４ｂは、コンデンサ素子３と近接しない状態で配設された、外部機器接続用の接続端子５ａ，５ｂをそれぞれ有している。【選択図】図４
2011091250.tif 000002
【特許請求の範囲】
【請求項１】
開口部を有する収納ケースと、
該収納ケースに収納されると共に、該収納ケースの開口部側と底面側の端部に一対の電極面を有する複数個のコンデンサ素子と、
該コンデンサ素子の、上記開口部側の上記電極面に配置された開口側バスバーと、
上記コンデンサ素子の、上記底面側の上記電極面に配置された底面側バスバーとを備え、
上記開口側バスバーと上記底面側バスバーとにより、複数個の上記コンデンサ素子が並列接続されており、
上記開口側バスバー及び上記底面側バスバーは、上記コンデンサ素子の側面と近接しない状態で配設された、外部機器接続用の接続端子をそれぞれ有することを特徴とするコンデンサ。
【請求項２】
請求項１において、上記底面側バスバーの上記接続端子は、該底面側バスバーの側方へ延出し、上記収納ケースの側壁から突出するよう構成されていることを特徴とするコンデンサ。
【請求項３】
請求項１において、上記収納ケースは底面に平行な断面が四角形状をしており、上記底面側バスバーの上記接続端子は平板状であり、上記収納ケースの角部において上記開口部側へ立設し、該接続端子の幅方向が上記収納ケースの側壁に対して傾斜していることを特徴とするコンデンサ。
【請求項４】
請求項１において、上記開口側バスバー及び上記底面側バスバーの上記接続端子は各々上記開口部側へ立設しており、上記底面側バスバーの上記接続端子は、上記開口側バスバーの上記接続端子よりも、上記コンデンサ素子の側面から離れた位置において立設していることを特徴とするコンデンサ。
【請求項５】
請求項１〜請求項４のいずれか１項において、上記底面側バスバーの上記接続端子は上記コンデンサ素子の側面と対向する面に貫通孔を有することを特徴とするコンデンサ。
【請求項６】
請求項１〜請求項５のいずれか１項に記載のコンデンサと、電力変換回路を構成するスイッチング素子を内蔵した半導体モジュールと、該半導体モジュールのサージ電圧を吸収するためのスナバコンデンサとを備え、上記コンデンサと上記スナバコンデンサとが並列接続されていることを特徴とする電力変換装置。
【発明の詳細な説明】
【技術分野】
【０００１】
本発明は、一対のバスバーを備えたコンデンサと、該コンデンサを用いた電力変換装置に関する。
【背景技術】
【０００２】
従来から、電力変換装置等に使用されるコンデンサが知られている（下記特許文献１参照）。図１４、図１５に、従来のコンデンサ９０の分解斜視図および断面図を示す。同図に示すごとく、このコンデンサ９０は、両端に電極面９６を有する複数個のコンデンサ素子９１を備え、この両端の電極面９６に一対のバスバー９３，９４を接続して、複数個のコンデンサ９１を並列接続したものである。コンデンサ素子９１及びバスバー９３，９４は収納ケース９２に収納され、図１５に示すごとく、樹脂９５によって封止される。
【０００３】
バスバー９３，９４は、外部装置と接続するための接続端子９３ａ，９４ａを備える。これらの接続端子９３ａ，９４ａは、バスバー９３，９４から収納ケース９２の開口部９７へ向かって立設し、樹脂９５の表面から突出している。
【０００４】
コンデンサ９０を使用すると接続端子９３ａ，９４ａ間に電流が流れ、コンデンサ素子９１が発熱する。発熱によって温度が上昇し、許容値を超えると、コンデンサ素子９１が破損するおそれがあるため、コンデンサ素子９１の温度が許容値を超えないように電流量を制限する必要がある。
【先行技術文献】
【特許文献】
【０００５】
【特許文献１】特開２００８−１３０６４０号公報
【発明の概要】
【発明が解決しようとする課題】
【０００６】
しかしながら従来のコンデンサ９０は、複数個のコンデンサ素子９１のうち、接続端子９４ａに隣接するコンデンサ素子９１ａの温度が特に上昇しやすい問題があった。そのため、このコンデンサ素子９１ａの温度が許容値に早く達してしまい、他のコンデンサ素子は比較的低温であるにもかかわらず、それ以上電流を流せなくなっていた。
【０００７】
接続端子９４ａに隣接するコンデンサ素子９１ａの温度が特に上昇しやすい理由は、大きく分けると３つ存在する。
第１の理由は、コンデンサ素子９１ａのインピーダンスが他のコンデンサ素子と比較して小さくなりやすく、このコンデンサ素子９１ａに大きな電流が流れて発熱しやすくなるからである。すなわち、図１５に示すごとく、コンデンサ素子９１ａ内を流れる電流ｉ１の向きと、接続端子９４ａを流れる電流ｉ２の向きは逆向きになる。それゆえ、この逆向きの電流経路となるコンデンサ素子９１ａと接続端子９４ａとが近接することにより、これらの間のインダクタンスＬが小さくなる。これにより、コンデンサ素子９１のインピーダンスＺも低下しやすくなる。
【０００８】
第２の理由は、接続端子９４ａとコンデンサ素子９１ａとが近接しているため、接続端子９４ａから発生した抵抗熱が、コンデンサ素子９１ａに伝わりやすくなるからである。
【０００９】
第３の理由は、接続端子９４ａに高周波電流が流れた場合に、コンデンサ素子９１ａに渦電流が発生し、誘導加熱により熱が発生して温度が上昇するためである。
特に、コンデンサ９０を電力変換装置に使用した場合は、他のコンデンサを並列接続する場合があり、これらのコンデンサによって共振現象が起きて、接続端子９４ａに高周波電流が流れやすくなる。
【００１０】
上述したように、従来のコンデンサ９０は、上記コンデンサ素子９１ａの温度が許容値に早く達してしまい、他のコンデンサ素子は比較的低温であるにもかかわらず、それ以上電流を流せなくなっていた。そのため、コンデンサ素子の局所的な温度上昇を防止でき、ひいてはコンデンサ素子全体に流れる電流の許容量を増やすことができるコンデンサと、該コンデンサを用いた電力変換装置が望まれていた。
【００１１】
本発明は、かかる従来の問題点に鑑みてなされたもので、コンデンサ素子の局所的な温度上昇を防止でき、ひいてはコンデンサ素子全体に流れる電流の許容量を増やすことができるコンデンサと、該コンデンサを用いた電力変換装置を提供しようとするものである。
【課題を解決するための手段】
【００１２】
第１の発明は、開口部を有する収納ケースと、
該収納ケースに収納されると共に、該収納ケースの開口部側と底面側の端部に一対の電極面を有する複数個のコンデンサ素子と、
該コンデンサ素子の、上記開口部側の上記電極面に配置された開口側バスバーと、
上記コンデンサ素子の、上記底面側の上記電極面に配置された底面側バスバーとを備え、
上記開口側バスバーと上記底面側バスバーとにより、複数個の上記コンデンサ素子が並列接続されており、
上記開口側バスバー及び上記底面側バスバーは、上記コンデンサ素子の側面と近接しない状態で配設された、外部機器接続用の接続端子をそれぞれ有することを特徴とするコンデンサにある（請求項１）。
【００１３】
第２の発明は、上記コンデンサと、電力変換回路を構成するスイッチング素子を内蔵した半導体モジュールと、該半導体モジュールのサージ電圧を吸収するためのスナバコンデンサとを備え、上記コンデンサと上記スナバコンデンサとが並列接続されていることを特徴とする電力変換装置にある（請求項６）。
【発明の効果】
【００１４】
第１の発明の作用効果について説明する。本発明のコンデンサは、収納ケースに収納された複数個のコンデンサ素子と、該複数個のコンデンサ素子を並列接続する開口側バスバーと底面側バスバーとを備える。この開口側バスバー及び底面側バスバーは、コンデンサ素子の側面と近接しない状態で配設された、外部機器接続用の接続端子をそれぞれ備える。
このようにすると、コンデンサ素子の局所的な温度上昇を防止することができる。
すなわち本発明では、上記接続端子を、コンデンサ素子の側面と近接しない状態で配設したため、この接続端子に流れる電流の影響をコンデンサ素子が受けにくくなる。これにより、従来のように（図１５参照）、接続端子９４ａに流れる電流ｉ２の影響を受けてコンデンサ素子９１ａのインダクタンスおよびインピーダンスが低下し、このコンデンサ素子９１ａにのみ大きな電流が流れて発熱する不具合を防止できる。
【００１５】
また、本発明では、接続端子がコンデンサ素子と近接していないため、接続端子から発生する抵抗熱をコンデンサ素子が受けにくくなる。
【００１６】
さらに本発明では、接続端子がコンデンサ素子と近接していないため、接続端子に高周波電流が流れた場合でも、その高周波電流によって生じた磁界の影響をコンデンサ素子が受けにくくなる。そのため、コンデンサ素子に渦電流が生じにくくなり、誘導加熱によってコンデンサ素子が発熱する不具合を防止できる。
【００１７】
このように、本発明ではコンデンサ素子の局所的な温度上昇を防止でき、複数個のコンデンサ素子の温度を均等にすることができる。これにより、コンデンサ全体に流れる電流の許容量を増やすことができる。
【００１８】
次に、第２の発明の作用効果について説明する。本発明の電力変換装置は、上記半導体モジュールと、上記第１の発明に係るコンデンサと、上記スナバコンデンサを備え、コンデンサとスナバコンデンサとが並列接続されている。
【００１９】
コンデンサとスナバコンデンサとが並列接続されていると、共振現象が起き、コンデンサの接続端子に高周波電流が流れやすくなる。そのため、仮に従来のように（図１５参照）、接続端子９４ａをコンデンサ素子９１ａに近接して配置したコンデンサ９０を用いたとすると、誘導加熱によってコンデンサ素子９１ａが発熱しやすくなる。
しかしながら、本発明のように、接続端子がコンデンサ素子の側面に近接して配置されていないコンデンサを用いれば、高周波電流が流れてもコンデンサ素子に渦電流が発生しにくくなる。そのため、接続端子と隣り合うコンデンサ素子が誘導加熱によって発熱する不具合を防止しやすくなる。これにより、複数個のコンデンサ素子の温度を均等にすることができ、コンデンサ素子全体に流れる電流の許容量を増やすことができる。
【００２０】
また、本発明では、接続端子を、コンデンサ素子と近接しない状態で配設したコンデンサを用いている。そのため、この接続端子に流れる電流の影響をコンデンサ素子が受けにくくなる。これにより、従来（図１５参照）のように、接続端子９４ａに流れる電流ｉ２の影響を受けてコンデンサ素子９１ａのインダクタンスおよびインピーダンスが低下し、このコンデンサ素子９１ａにのみ大きな電流が流れて発熱する不具合を防止できる。
【００２１】
また、本発明では、接続端子がコンデンサ素子と近接していないコンデンサを用いている。そのため、接続端子から発生する抵抗熱をコンデンサ素子が受けにくくなる。
【００２２】
以上のごとく、本発明によれば、コンデンサ素子の局所的な温度上昇を防止でき、ひいてはコンデンサ素子全体に流れる電流の許容量を増やすことができるコンデンサと、該コンデンサを用いた電力変換装置を提供することができる。
【図面の簡単な説明】
【００２３】
【図１】実施例１における、コンデンサの断面図であって、図３のＢ−Ｂ断面図。
【図２】実施例１における、コンデンサの断面図であって、図３のＣ−Ｃ断面図。
【図３】図１のＡ−Ａ断面図。
【図４】実施例１における、コンデンサの斜視図。
【図５】実施例１における、電力変換装置の回路図。
【図６】実施例２における、コンデンサの断面図であって、図７のＥ−Ｅ断面図。
【図７】実施例２における、コンデンサの断面図であって、図６のＤ−Ｄ断面図。
【図８】実施例２における、コンデンサの斜視図。
【図９】実施例３における、コンデンサの断面図であって、図１０のＧ−Ｇ断面図。
【図１０】実施例３における、コンデンサの断面図であって、図９のＦ−Ｆ断面図。
【図１１】図９のＨ−Ｈ断面図。
【図１２】実施例４における、コンデンサの断面図であって、図１３のＪ−Ｊ断面図。
【図１３】実施例４における、コンデンサの断面図であって、図１２のＩ−Ｉ断面図。
【図１４】従来例における、コンデンサの分解斜視図。
【図１５】従来例における、コンデンサの断面図。
【発明を実施するための形態】
【００２４】
上述した本発明における好ましい実施の形態につき説明する。
第１の発明において、上記底面側バスバーの上記接続端子は、該底面側バスバーの側方へ延出し、上記収納ケースの側壁から突出するよう構成されていることが好ましい（請求項２）。
このようにすると、接続端子に流れる電流の向きと、コンデンサ素子に流れる電流の向きとが直交する。そのため、接続端子に流れる電流の影響をコンデンサ素子が受けにくくなる。これにより、接続端子と隣り合うコンデンサ素子のインピーダンスが低下し、大きな電流が流れて発熱したり、コンデンサ素子に渦電流が発生して発熱したりする不具合を防止しやすくなる。また、接続端子から抵抗熱が発生しても、コンデンサ素子の温度は上昇しにくくなる。
【００２５】
また、上記収納ケースは底面に平行な断面が四角形状をしており、上記底面側バスバーの上記接続端子は平板状であり、上記収納ケースの角部において上記開口部側へ立設し、該接続端子の幅方向が上記収納ケースの側壁に対して傾斜していることが好ましい（請求項３）。
このようにすると、収納ケースの角部のスペースを有効活用して、接続端子と、この接続端子と隣り合うコンデンサ素子との間の距離を長くすることができる。そのため、接続端子に流れる電流の影響をコンデンサ素子が受けにくくなり、コンデンサ素子の局所的な温度上昇を防止することができる。また、接続端子から発生する抵抗熱を、コンデンサ素子が受けにくくなる。
また、収納ケースの角部のスペースを有効活用できるため、コンデンサをコンパクト化することができる。
【００２６】
また、上記開口側バスバー及び上記底面側バスバーの上記接続端子は各々上記開口部側へ立設しており、上記底面側バスバーの上記接続端子は、上記開口側バスバーの上記接続端子よりも、上記コンデンサ素子の側面から離れた位置において立設していることが好ましい（請求項４）。
このようにすると、底面側バスバーの接続端子が、開口側バスバーの接続端子よりも、コンデンサ素子から離れた位置において立設しているため、底面側バスバーの接続端子に流れる電流の影響や、この接続端子から発生する抵抗熱の影響を、接続端子と隣り合うコンデンサ素子が受けにくくなる。これにより、コンデンサ素子の局所的な温度上昇を防止できる。
【００２７】
また、上記底面側バスバーの上記接続端子は上記コンデンサ素子の側面と対向する面に貫通孔を有することが好ましい（請求項５）。
このようにすると、本発明の効果を特に得やすくなる。すなわち、上記構成によれば、底面側バスバーの接続端子に電流を流しても、貫通孔が形成されている部分には電流が流れないため、接続端子と隣り合うコンデンサ素子に与える電流の影響を小さくすることができる。これにより、コンデンサ素子のインピーダンスの低下や渦電流の発生を防止できる。また、貫通孔が形成されている部分は抵抗熱が発生しないので、接続端子と隣り合うコンデンサ素子は、抵抗熱によって温度が上昇しにくくなる。
また、上記構成によれば、底面側バスバーの接続端子がコンデンサ素子の比較的近くに存在していたとしても、発明の効果を得られる。そのため、コンデンサをコンパクト化できる。
【実施例】
【００２８】
（実施例１）
本発明の実施例にかかるコンデンサ及び電力変換装置につき、図１〜図５を用いて説明する。
本例のコンデンサ１は、図１〜図４に示すごとく、開口部２０を有する収納ケース２を備える。この収納ケース２に複数個のコンデンサ素子３が収納されている。コンデンサ素子３は、収納ケース２の開口部２０側と底面２１側の端部に一対の電極面３０を有している。
コンデンサ素子３の、開口部２０側の電極面３０に開口側バスバー４ａが配置されている。さらに、コンデンサ素子３の、底面２１側の電極面３０に底面側バスバー４ｂが配置されている。これら開口側バスバー４ａと底面側バスバー４ｂとにより、複数個のコンデンサ素子３が並列接続されている。
そして、開口側バスバー４ａ及び底面側バスバー４ｂは、コンデンサ素子３の側面と近接しない状態で配設された、外部機器接続用の接続端子５ａ，５ｂをそれぞれ有している。
以下、詳説する。
【００２９】
本例のコンデンサ１は、コンデンサ素子３として、金属化フィルムを巻回してなるフィルムコンデンサを使用している。そして、その巻回軸方向の両端に、一対の電極面３０が形成されている。また、複数個のコンデンサ素子３は、上記巻回軸方向を上下方向（底面２１に直交する方向）にして収納ケース２内に並んでいる。コンデンサ素子３は、収納ケース２内において、樹脂６に埋設されている。開口側バスバー４ａ及び底面側バスバー４ｂも、接続端子５ａ，５ｂを除いて、樹脂６に埋設されている。コンデンサ素子３は、略楕円柱形状をしている。
また、開口側バスバー４ａ及び底面側バスバー４ｂとして、銅板を用いている。後述するように、このコンデンサ１は、車両用の電力変換装置１０に使用される。
【００３０】
図１〜図４に示すごとく、底面側バスバー４ｂの接続端子５ｂは、底面側バスバー４ｂの側方へ延出し、収納ケース２の側壁から突出するよう構成されている。
また、図３に示すごとく、開口側バスバー４ａの接続端子５ａは、収納ケース２の開口部２０側へ向かって立設し、樹脂６の表面から突出している。
【００３１】
次に、本例の電力変換装置１０の回路図を図５に示す。同図に示すごとく、本例の電力変換装置１０は、上述したコンデンサ１と、電力変換回路を構成するスイッチング素子１１ａを内蔵した半導体モジュール１１と、該半導体モジュール１１のサージ電圧を吸収するためのスナバコンデンサ１２とを備え、コンデンサ１とスナバコンデンサ１２とが並列接続されている。
【００３２】
本例の電力変換装置１０は、ハイブリッドカーや電気自動車等の車両に搭載される。この電力変換装置１０は、図５に示すごとく、昇圧部１０ａとインバータ部１０ｂとを備える。この昇圧部１０ａで直流電源１４の電圧を昇圧し、インバータ部１０ｂによって、昇圧した直流電力を交流電力に変換する。そして、交流電力を使って三相交流モータ１５を駆動し、車両を走行させる。上記コンデンサ１は、昇圧部１０ａで昇圧した電圧を平滑化するための平滑用コンデンサ１ａとして用いられる。
【００３３】
インバータ部１０ｂは、複数個の上記半導体モジュール１１と、スナバコンデンサ１２を備える。半導体モジュール１１は、スイッチング素子としてのＩＧＢＴ素子１１ａと、フライホイールダイオード１１ｂを内蔵している。ＩＧＢＴ素子１１ａをスイッチング動作させることにより、直流電力を交流に変換している。
【００３４】
ＩＧＢＴ素子１１ａがスイッチング動作した際に、ＩＧＢＴ素子１１ａの端子間にサージ電圧が発生する。このサージ電圧が高くなると、ＩＧＢＴ素子１１ａが破壊される場合がある。そのため、サージ電圧を吸収し、ＩＧＢＴ素子１１ａを保護するためのスナバコンデンサ１２が設けられている。
【００３５】
なお、昇圧部１０ａには昇圧用コンデンサ１６が設けられている。この昇圧用コンデンサ１６を構成するコンデンサ素子と、上述した平滑用コンデンサ１ａを構成するコンデンサ素子とを１個の収納ケース２内に収納しても良い。
【００３６】
本例の作用効果について説明する。図１〜図４に示すごとく、本例のコンデンサ１は、収納ケース２に収納された複数個のコンデンサ素子３と、該複数個のコンデンサ素子３を並列接続する開口側バスバー４ａと底面側バスバー４ｂとを備える。この開口側バスバー４ａ及び底面側バスバー４ｂは、コンデンサ素子３の側面と近接しない状態で配設された、外部機器接続用の接続端子５ａ，５ｂをそれぞれ備える。
このようにすると、コンデンサ素子３の局所的な温度上昇を防止することができる。
すなわち本例のコンデンサ１は、接続端子５ａ，５ｂを、コンデンサ素子３と近接しない状態で配設したため、この接続端子５ａ，５ｂに流れる電流の影響をコンデンサ素子３が受けにくくなる。
【００３７】
本例のコンデンサ１は、図４に示すごとく、コンデンサ素子３ａが、底面側バスバー４ｂの接続端子５ｂと近接していない。そのため、接続端子５ｂに流れる電流Ｉ２の影響をコンデンサ素子３ａが受けにくくなり、コンデンサ素子３ａのインダクタンスおよびインピーダンスが低下しにくくなる。そのため、コンデンサ素子３ａにのみ大きな電流が流れて、このコンデンサ素子３ａが発熱する不具合を防止できる。
【００３８】
また、本例のコンデンサ１は、接続端子５ｂがコンデンサ素子３ａと近接していないため、接続端子５ｂから発生する抵抗熱をコンデンサ素子３ａが受けにくくなる。
【００３９】
さらに本例のコンデンサ１は、接続端子５ｂがコンデンサ素子３ａと近接していないため、接続端子５ｂに高周波電流が流れた場合でも、その高周波電流によって生じた磁界の影響をコンデンサ素子３ａが受けにくくなる。そのため、コンデンサ素子３ａに渦電流が生じにくくなり、誘導加熱によってコンデンサ素子３ａが発熱する不具合を防止できる。
【００４０】
特に本例のコンデンサ１は、図４に示すごとく、底面側バスバー４ｂの接続端子５ｂが、底面側バスバー４ｂの側方へ延出し、収納ケース２の側壁から突出するよう構成されている。そのため、接続端子５ｂに流れる電流Ｉ２の向きと、コンデンサ素子３ａに流れる電流Ｉ１の向きとが直交する。したがって、接続端子５ｂに流れる電流Ｉ２の影響をコンデンサ素子３ａが受けにくくなる。
【００４１】
このように、本例のコンデンサ１は、コンデンサ素子３の局所的な温度上昇を防止でき、複数個のコンデンサ素子３の温度を均等にすることができる。これにより、コンデンサ１全体に流れる電流の許容量を増やすことができる。
【００４２】
また、本例の電力変換装置１０は、図５に示すごとく、半導体モジュール１１と、コンデンサ１と、スナバコンデンサ１２を備え、コンデンサ１とスナバコンデンサ１２とが並列接続されている。
コンデンサ１とスナバコンデンサ１２とが並列接続されていると、共振現象が起き、コンデンサ１の接続端子５に高周波電流が流れやすくなる。そのため、仮に、従来のように（図１５参照）接続端子９４ａをコンデンサ素子９１ａに近接して配置したコンデンサ９０を用いたとすると、誘導加熱によって、近接するコンデンサ素子９１ａが発熱しやすくなる。
しかしながら、本例の電力変換装置１０のように、接続端子５ｂがコンデンサ素子３ａに近接して配置されていないコンデンサ１を用いれば、高周波電流が流れてもコンデンサ素子３ａに渦電流が発生しにくくなる。そのため、接続端子５ｂ（図４参照）に隣り合うコンデンサ素子３ａが誘導加熱によって発熱する不具合を防止しやすくなる。これにより、複数個のコンデンサ素子３の温度を均等にすることができ、コンデンサ素子３全体に流れる電流の許容量を増やすことができる。
【００４３】
以上のごとく、本例によれば、コンデンサ素子３の局所的な温度上昇を防止でき、ひいてはコンデンサ素子３全体に流れる電流の許容量を増やすことができるコンデンサ１と、該コンデンサ１を用いた電力変換装置１０を提供することができる。
【００４４】
（実施例２）
本例は、底面側バスバー４ｂの接続端子５ｂの形状を変更した例である。図６〜図８に示すごとく、本例のコンデンサ１では、収納ケース２は底面２１に平行な断面が四角形状をしており、底面側バスバー４ｂの接続端子５ｂは平板状であり、収納ケース２の角部において開口部２０側へ立設し、接続端子５ｂの幅方向が収納ケース２の側壁に対して傾斜している。
その他、実施例１と同様の構成を有する。
【００４５】
本例の作用効果について説明する。
上記構成にすると、収納ケース２の角部のスペースを有効活用して、接続端子５ｂとコンデンサ素子３ａとの間の平均的な距離を長くすることができる。そのため、接続端子５ｂに流れる電流の影響をコンデンサ素子３ａが受けにくくなり、コンデンサ素子３ａの局所的な温度上昇を防止することができる。また、接続端子５ｂから発生する抵抗熱を、コンデンサ素子３ａが受けにくくなる。
また、収納ケース２の角部のスペースを有効活用できるため、コンデンサ１をコンパクト化することができる。
その他、実施例１と同様の作用効果を有する。
【００４６】
（実施例３）
本例は、底面側バスバー４ｂの接続端子５ｂの形状を変更した例である。図９〜図１１に示すごとく、本例のコンデンサ１は、開口側バスバー４ａ及び底面側バスバー４ｂの接続端子５ａ，５ｂが各々開口部側へ立設しており、底面側バスバー４ｂの接続端子５ｂは、開口側バスバー４ａの接続端子５ａよりも、コンデンサ素子３の側面から離れた位置において立設している。
本例では、コンデンサ素子３の耐熱温度よりも温度が上がらないように、コンデンサ素子３ａの側面から接続端子５ｂを十分に離してある。例えば、コンデンサ素子３ａと接続端子５ｂとの間の距離を１０ｍｍ以上離すことが好ましい。
その他、実施例１と同様の構成を有する。
【００４７】
本例の作用効果について説明する。上記構成にすると、底面側バスバー４ｂの接続端子５ｂが、開口側バスバー４ａの接続端子５ａよりも、コンデンサ素子３の側面から離れた位置において立設しているため、底面側バスバー４ｂの接続端子５ｂに流れる電流の影響や、この接続端子５ｂから発生する抵抗熱の影響を、コンデンサ素子３ａが受けにくくなる。これにより、コンデンサ素子３の局所的な温度上昇を防止できる。
その他、実施例１と同様の作用効果を有する。
【００４８】
（実施例４）
本例は、底面側バスバー４ｂの接続端子５ｂの形状を変更した例である。図１２、図１３に示すごとく、本例のコンデンサ１では、底面側バスバー４ｂの接続端子５ｂはコンデンサ素子３ａの側面と対向する面に貫通孔５０を有する。抵抗熱によって上昇した接続端子５ｂの温度が、コンデンサ素子３ａの耐熱温度を超えないように、貫通孔５０の面積が定められている。
その他、実施例１と同様の構成を有する。
【００４９】
本例の作用効果について説明する。上記構成にすると、底面側バスバー４ｂの接続端子５ｂに電流を流しても、貫通孔５０が形成されている部分には電流が流れないため、接続端子５ｂと隣り合うコンデンサ素子３ａに与える電流の影響を小さくすることができる。これにより、コンデンサ素子３ａのインピーダンスの低下や渦電流の発生を防止できる。また、貫通孔５０が形成されている部分は抵抗熱が発生しないので、コンデンサ素子３ａは、抵抗熱によって温度が上昇しにくくなる。
また、上記構成によれば、底面側バスバー４ｂの接続端子５ｂがコンデンサ素子３ａの比較的近くに存在していたとしても、発明の効果を得られる。そのため、コンデンサをコンパクト化できる。
その他、実施例１と同様の作用効果を有する。
【符号の説明】
【００５０】
１  コンデンサ
１０  電力変換装置
２  収納ケース
３  コンデンサ素子
４ａ  開口側バスバー
４ｂ  底面側バスバー
５ａ  （開口側バスバーの）接続端子
５ｂ  （底面側バスバーの）接続端子
【図１】
2011091250.tif 000003
【図２】
2011091250.tif 000004
【図３】
2011091250.tif 000005
【図４】
2011091250.tif 000006
【図５】
2011091250.tif 000007
【図６】
2011091250.tif 000008
【図７】
2011091250.tif 000009
【図８】
2011091250.tif 000010
【図９】
2011091250.tif 000011
【図１０】
2011091250.tif 000012
【図１１】
2011091250.tif 000013
【図１２】
2011091250.tif 000014
【図１３】
2011091250.tif 000015
【図１４】
2011091250.tif 000016
【図１５】
2011091250.tif 000017